(57)【要約】【課題】  設置場所における他の照明等による表示の不明瞭化を防ぎ、また造形表現の制約が少ないエレベーター用表示器を得る。【解決手段】  表板４を鉛直姿勢に配置した場合に他の照明が表示体６に映り込んで表示が不明瞭になるときに、適宜な工具によって付勢機構１７の付勢力に抗して掛止子１５を押し下げる。そして、囲い体１０から可動体１２の掛止子１５を外し、表板４を乗場等の乗客に対して伏角を形成するように表板４を傾斜する。そして、掛止孔のいずれかに掛止子１５を嵌合して表板４を傾斜姿勢に保持して、表示の不明瞭化を回避する。  また、表示体６が表板４と共に傾斜姿勢となるので、表示器の生産性が向上し製作費を節減でき、また表板４と表示体６が一体的に構成されて造形表現の自由度を向上する。【選択図】        図２
2006176256.tif 000002
【特許請求の範囲】
【請求項１】
前面に開口部が設けられて、エレベーター出入口の縁部を形成する壁に埋設状態に装備されたケースと、表示体が設けられて上記ケースの開口部を覆って配置された表板と、この表板の裏面から上記ケースの奥側に突設されて上記表示体を囲み、下縁部が上記ケースの開口部下縁に回動自在に掛合され、上面に上記ケースの奥行き方向に互いに離れて配置された複数の掛止孔が設けられた囲い体と、上記ケース内の上面寄りに設けられて上記囲い体の上面の下側に重合状態に配置されて上記ケースの奥側が水平軸線を介して上記ケースに枢着された可動体と、この可動体の枢着端側に設けられて上記可動体の回動端側を上方に付勢する付勢機構と、上記可動体の回動端から上方に突設され上記囲い体の掛止孔のいずれかに嵌入する掛止子とを備えたエレベーター用表示器。
【請求項２】
前面に開口部が設けられて、エレベーター出入口の縁部を形成する壁に埋設状態に装備されたケースと、表示体が設けられて上記ケースの開口部を覆って配置された表板と、この表板の裏面から上記ケースの奥側に突設されて上記表示体を囲み、下縁部が上記ケースの開口部下縁に回動自在に掛合され、側面に上記ケースの奥行き方向に互いに離れて配置された複数の掛止孔が設けられた囲い体と、上記ケース内の側面寄りに設けられて上記囲い体の側面の上記ケース内側に重合状態に配置されて上記ケースの奥側が鉛直軸線を介して上記ケースに枢着された可動体と、この可動体の枢着端側に設けられて上記可動体の回動端側を上記ケース内の側面方向に付勢する付勢機構と、上記可動体の回動端から上記ケースの間口方向の外側に突設され上記囲い体の掛止孔のいずれかに嵌入する掛止子とを備えたエレベーター用表示器。
【発明の詳細な説明】
【技術分野】
【０００１】
この発明は、出入口の縁部に設けられてエレベーターの昇降方向、昇降位置等を表示するエレベーター用表示器に関する。
【背景技術】
【０００２】
エレベーター用表示器において、表板に設けられた表示体として、発光ダイオード、液晶ディスプレイ等が使用される。また、エレベーター用表示器はエレベーターロビー等であってエレベーター乗場を形成する建築壁面等に鉛直姿勢に設けられる。このため、表示体の表面に対してエレベーターロビー等の照明が映り込んだり、ロビー等を照明する照明光が反射したりして表示体の表示が見にくくなる。
【０００３】
従来のエレベーター用表示器においては、他の照明の映り込みによる表示の不明瞭化を回避するために、エレベーター乗場の建築壁面等に表示器の表板を鉛直姿勢に設け、この表板に表示体を配置し表板に対して、表示体面の上縁側が表板から突出する方向に傾斜した姿勢に表示体を装備するように構成にしている。（例えば、特許文献１参照）。
【０００４】
【特許文献１】特開平７−６９５５０号公報（要約、図２）
【発明の開示】
【発明が解決しようとする課題】
【０００５】
従来のエレベーター用表示器では、表板の中央部に開口部を設けて表板裏面に配置した案内板によって、表板中央の開口部から表示体を突出した状態に装備する構成である。このため、表示体の大きさに対して周囲の表板部分が広くなり、所望の見栄えが得にくく、また造形表現の制約が大きくなるという問題点があった。
【０００６】
この発明は、かかる問題点を解消するためになされたものであり、設置場所における他の照明等による表示の不明瞭化を防ぎ、また造形表現の制約が少ないエレベーター用表示器を得ることを目的とする。
【課題を解決するための手段】
【０００７】
この発明に係るエレベーター用表示器においては、前面に開口部が設けられて、エレベーター出入口の縁部を形成する壁に埋設状態に装備されたケースと、表示体が設けられてケースの開口部を覆って配置された表板と、この表板の裏面からケースの奥側に突設されて表示体を囲み、下縁部がケースの開口部下縁に回動自在に掛合され、上面にケースの奥行き方向に互いに離れて配置された複数の掛止孔が設けられた囲い体と、ケース内の上面寄りに設けられて囲い体の上面の下側に重合状態に配置されてケースの奥側が水平軸線を介してケースに枢着された可動体と、この可動体の枢着端側に設けられて可動体の回動端側を上方に付勢する付勢機構と、可動体の回動端から上方に突設され上記囲い体の掛止孔のいずれかに嵌入する掛止子とが設けられる。
【発明の効果】
【０００８】
この発明によるエレベーター用表示器は、表板がエレベーター乗場の壁等に鉛直姿勢に配置された場合に、表示体の表面にエレベーターロビーの照明等が映り込むこと等によって表示体の表示が不明瞭になるときには、適宜な工具によって付勢機構の付勢力に抗して掛止子を押し下げる。そして、掛止孔から掛止子を外して表板を人為操作によってエレベーター乗場の乗客に対して伏角を形成するように傾斜、すなわち表板の上縁部をエレベーター乗場の壁面等から離れる方向に傾斜させる。
【０００９】
このときに、複数個の掛止孔のいずれかに掛止子を嵌合して、表示体に余計な照明等が映り込まない傾斜姿勢に表板の伏角を設定して、表示体の表示の不明瞭化を回避する効果を得ることができる。また、表示体が表板と一体的に構成されて表板と共に傾斜姿勢に配置される。このため、簡易な操作によって表示体、表板を所要の傾斜姿勢に装着でき、また表示体、表板が一体的に構成されるので生産性が向上しエレベーター用表示器の製作費を節減する効果がある。また、表板と共に表示体が傾斜するので所望の見栄えを容易に得ることができ、造形表現の自由度を向上する効果がある。
【発明を実施するための最良の形態】
【００１０】
実施の形態１．
図１〜図９は、この発明の実施の形態を示す図で、図１は正面図、図２は図１のＡ−Ａ線断面図、図３は図２のＢ−Ｂ線断面図、図４は図３のＣ−Ｃ線断面図、図５は図３のＤ−Ｄ線断面図、図６は図５のＥ−Ｅ線断面図、図７は図２における可動体の操作状況を示す図、図８は図２の表板が傾斜姿勢に配置された状態を示す図、図９は図２の囲い体の斜視図である。図において、前面に開口部１が形成されたケース２がエレベーター乗場の出入口等（図示しない）の上縁部を形成する壁３に埋設状態に設けられる。
【００１１】
そして、ケース２の開口部１を覆って表板４が設けられて、表板４の窓状の開口部５に発光ダイオード、液晶ディスプレイ等からなる表示体６が装備される。また、表板４の裏面からケース２の奥側に囲い体７が突設されて表示体６を囲み、両側の側壁８の下縁部がスライドヒンジ９によってケース２の開口部１下縁に水平軸線を介して回動自在に掛合される。
【００１２】
そして、囲い体７の上面１０はスライドヒンジ９を中心とした円弧状に形成されて、ケース２の奥行き方向に互いに離れて複数の掛止孔１１が設けられる。また、板状の可動体１２がケース２内の上面寄りに設けられて囲い体７の上面１０の下側に重合状態に配置されてケース２の奥側が後述するようにケース２に枢着される。
【００１３】
すなわち、ケース２の奥壁にブラケット１３が設けられて長手が水平に配置されたピン１４が装着され、ピン１４に可動体１２のケース２の奥側の端部が枢着される。また、可動体１２の表板４側の端部には、この端部が上方へ屈折されて掛止孔１１のいずれかにすきまばめされる掛止子１５が設けられる。そして、掛止子１５は表板４が鉛直姿勢に配置された状態において囲い体７の表板４側の端面に掛合し、また表板４の裏面側に設けられた凹所１６内に配置される。
【００１４】
また、ピン１４に嵌合状態に設けられたねじりコイルばねによって付勢機構１７が構成されて、ねじりコイルばねの一端がブラケット１３に、他端は可動体１２に係合される。これによって、付勢機構１７により可動体１２が囲い体７の上面１０における下側を押圧する方向に付勢される。なお、掛止子１５は要時にマイナスドライバー等の適宜な工具１８が凹所１６に上方から挿入されて付勢機構１７の付勢力に抗して押し下げられる。
【００１５】
上記のように構成されたエレベーター用表示器において、表板４が壁３に鉛直姿勢に配置された場合には掛止子１５が囲い体７の表板４側の端面に掛止して図４等に示す状態となる。そして、表板４が鉛直姿勢に装備されて表示体６の表面にエレベーターロビーの照明等が映り込むこと等によって表示体６の表示が不明瞭になるときには、次に述べる人為操作が行われる。
【００１６】
すなわち、表板４の凹所１６に工具１８が上方から挿入されて図７に示すように付勢機構１７の付勢力に抗して掛止子１５が押し下げられる。そして、図７に示す状態から人為操作によってエレベーター乗場等の乗客に対して伏角を形成するように表板４が傾斜され、すなわち表板４の上縁部が壁３面から離れる方向に傾斜される。このときに、複数個の掛止孔１１のいずれかに掛止子１５が嵌合され、例えば図８に示すように余計な照明等が映り込まない傾斜姿勢に表板４の伏角が設定されて、表示体６の表示の不明瞭化が回避される。
【００１７】
そして、上記の構成において表示体６が表板４と一体的に構成されて表板４と共に傾斜姿勢に配置される。このため、簡易な操作によって表示体６、表板４を所要の傾斜姿勢に容易に装着することができ、また表示体６、表板４が一体的に構成されるので生産性が向上し、エレベーター用表示器の製作費を節減することができる。また、表板４と共に表示体６が傾斜するので所望の見栄えを容易に得ることができ、造形表現の自由度を向上することができる。
【００１８】
なお、図１〜図９の実施の形態における壁３が、エレベーター乗場の出入口上縁部を形成する壁以外の壁、例えばエレベーター三方枠幕板を形成する壁体、エレベーターかご室の内壁を形成する壁体からなるものであっても、図１〜図９の実施の形態における作用を得ることができる。
【００１９】
実施の形態２．
図１０〜図１３は、この発明の他の実施の形態を示す図で、図１０は前述の図３相当図、図１１は図１０のＦ−Ｆ線断面図、図１２は図１０における可動体の操作状況を示す図、図１３は図１０の表板が傾斜姿勢に配置された状態を示す図である。図において、前述の図１〜図９と同符号は相当部分を示し、表板４の裏面からケース２の奥側に囲い体７が突設されて表示体６を囲み、両側の側壁８の下縁部がスライドヒンジ９によってケース２の開口部１下縁に水平軸線を介して回動自在に掛合される。
【００２０】
そして、囲い体７の側壁８はケース２の側壁の内側に接近して配置され、スライドヒンジ９を中心とした円弧に沿う方向に互いに離れて複数の掛止孔１９が設けられる。また、板状の可動体２０がケース２内の側面寄りに設けられて囲い体７の側壁８のケース２内側寄り配置される。そして、可動体２０は囲い体７の側壁８に重合状態に配置されケース２の奥側が、長手が鉛直方向に配置されたピン１４によって枢着される。
【００２１】
また、可動体２０の表板４側の端部には、この端部がケース２の外側方向へ屈折されて掛止孔１９のいずれかにすきまばめされる掛止子１５が設けられ、また掛止子１５は表板４が鉛直姿勢に配置された状態において、囲い体７の表板４側の端面に掛合し、また表板４の裏面側に設けられた凹所１６内に配置される。
【００２２】
上記のように構成されたエレベーター用表示器においても、表板４が壁３に鉛直姿勢に配置された場合には掛止子１５が囲い体７の表板４側の端面に掛止して図１０等に示す状態となる。そして、表板４が鉛直姿勢に装備されて表示体６の表面にエレベーターロビーの照明等が映り込むこと等によって表示体６の表示が不明瞭になるときには、次に述べる人為操作が行われる。
【００２３】
すなわち、表板４の凹所１６に工具１８が横側から挿入されて図１２に示すように付勢機構１７の付勢力に抗して掛止子１５がケース２間口の中心方向に押し付けられる。そして、図１２に示す状態から人為操作によりエレベーター乗場の乗客に対して伏角を形成するように表板４が傾斜され、すなわち表板４の上縁部が壁３面から離れる方向に傾斜される。
【００２４】
このときに、複数個の掛止孔１９のいずれかに掛止子１５が嵌合され、例えば図１３に示すように余計な照明等が映り込まない傾斜姿勢に表板４の伏角が設定されて、表示体６の表示の不明瞭化が回避される。したがって、詳細な説明を省略するが図１０〜図１３の実施の形態においても図１〜図９の実施の形態と同様な作用が得られる。
【図面の簡単な説明】
【００２５】
【図１】この発明の実施の形態１を示す正面図。
【図２】図１のＡ−Ａ線断面図。
【図３】図２のＢ−Ｂ線断面図。
【図４】図３のＣ−Ｃ線断面図。
【図５】図３のＤ−Ｄ線断面図。
【図６】図５のＥ−Ｅ線断面図。
【図７】図２における可動体の操作状況を示す図。
【図８】図２の表板が傾斜姿勢に配置された状態を示す図。
【図９】図２の囲い体の斜視図。
【図１０】この発明の実施の形態２を示す図で図３相当図。
【図１１】図１０のＦ−Ｆ線断面図。
【図１２】図１０における可動体の操作状況を示す図。
【図１３】図１０の表板が傾斜姿勢に配置された状態を示す。
【符号の説明】
【００２６】
１  開口部、２  ケース、３  壁、４  表板、６  表示体、７  囲い体、１０  上面、１１  掛止孔、１２  可動体、１５  掛止子、１７  付勢機構、１９  掛止孔、２０  可動体。
【図１】
2006176256.tif 000003
【図２】
2006176256.tif 000004
【図３】
2006176256.tif 000005
【図４】
2006176256.tif 000006
【図５】
2006176256.tif 000007
【図６】
2006176256.tif 000008
【図７】
2006176256.tif 000009
【図８】
2006176256.tif 000010
【図９】
2006176256.tif 000011
【図１０】
2006176256.tif 000012
【図１１】
2006176256.tif 000013
【図１２】
2006176256.tif 000014
【図１３】
2006176256.tif 000015